(57)【要約】      （修正有）【課題】誰もが簡単且つ容易に組み立て可能で、美観的にも高級感があり、且つ、部屋の角部に適合する外観形状、及び、所定のテレビサイズに適合する大きさをそれぞれ有し、かつ、安全性・組立機能性・経済性等に優れた配線簡易接続可能テレビ台を提供する。【解決手段】テレビを設置する天板１の下部に，電子機器を収納する二段棚式主箱体と、主箱体と同寸法の引き出し型収納副箱体と、主箱体と幅で１／２の寸法の開き戸型収納副箱体とを備え、主箱体の１体と引き出し型収納副箱体の２体と半分の幅の開き戸型収納副箱体の２体とから選ばれた３〜５体で、天板を箱体群の上部に置いた６種類の配列テレビ台であって、主箱体の下段を仕切って、前部に機器類と後部に配線群を正面から配線・収納可能な収納庫を構成し、３〜５体の箱体の各裏板に差し込みプラグを持つコネクター付き配線を出し入れ可能な樹脂蓋付きコード穴を設けた。【選択図】図１
0003225189.tif 000002
【実用新案登録請求の範囲】
【請求項１】
テレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の２体と半分の幅の開き戸型収納副箱体の２体とから選ばれた３〜５体で、３〜５体の横寸法に合わせた長さの天板を前記箱体群の配列組み合わせた上部に置いた６種類の配列テレビ台であって、主と副の箱体は自由に配置を換えられるような状態で３〜５体を接合させており、前記主要二段棚式主箱体の下段を仕切って、前部に機器類と後部に配線群を正面から配線・収納の操作を可能な収納庫を構成させ、前記３〜５体の箱体の裏面の１〜３体の裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させていることを特徴とする配線収納庫付き配置換え可能テレビ台。
【請求項２】
天板の寸法は、厚さ２０〜３０ｍｍ、奥行き幅４００〜５００ｍｍ、長さ１２００〜２４００ｍｍの範囲から選ばれたもので、天板を上部に持つ二段式棚式主箱体は、前記天板の中央部の位置に長さ５５０〜６００ｍｍ、奥行き４００〜５００ｍｍ、高さ３５０〜４５０ｍｍの箱状体にして、二段棚式主箱体は引き出し式で棚で二段に仕切られており、前面に部分的に透明性前板を持ち、上段部には高さ１００〜２５０ｍｍで前後を見透しできる空洞状棚板で、下段の引き出しにテレビ関係機器と、ビデオ機器を収納できるようにし、下段部には高さ１５０〜２５０ｍｍで内部前側に関係機器を収納でき、後側位置には幅６０〜１００ｍｍで仕切って配線を正面から操作と整理できる収納庫に構成させて、各種副箱体を種々対称的に５種類の配列にしていることを特徴とする請求項１に記載の配線収納庫付き配置換え可能テレビ台。
【請求項３】
前記収納庫は、二段棚式主箱体の下段部の後部に位置して、寸法及び容積として、縦幅６０〜１００ｍｍ、高さ１５０〜２５０ｍｍ、横幅３００〜６００ｍｍ、内容積２〜２０Ｌにして、二段棚式主箱体の引き出し部と棚部を取り出して、前面から電源基となるコンセントプラグとテレビ、およびビデオ機器における余分の配線コードを整理して収納できるようになって、テレビ、ビテオ機器との接続している配線コードは、裏面での３０〜４０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板になっていることを特徴とする請求項１、又請求項２に記載の配線収納庫付き配置換え可能テレビ台。
【請求項４】
各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、中心的機能を示す電子機器を収納できる二段棚式主箱体と、前記二段棚式主箱体と同寸法の引き出し型収納副箱体とには上面の４隅に３〜１０ｍｍ径、深さ３〜１０ｍｍの穴部を、前記二段棚式主箱体と幅で１／２の寸法の開き戸型収納副箱体とには上面の２隅に３〜１０ｍｍ径、深さ３〜１０ｍｍの穴部を設けて、天板の裏面に二段棚式主箱体と引き出し型収納副箱体と開き戸型収納副箱体の設置位置と同様な穴部と同一に３〜１０ｍｍ径、深さ３〜１０ｍｍの穴部を取り付けて、天板と各箱体を接合させていることを特徴とする請求項１〜請求項３のいずれかに記載の配線収納庫付き配置換え可能テレビ台。
【考案の詳細な説明】
【技術分野】
【０００１】この考案は、テレビ、及び複数の電子機器を収納・設置において、前記機器類に関連する配線コードを前面から整然・収納できる収納庫を持つテレビ台に関するものであり、四種類のボックス型箱体の内部にコネクター付き配線を表面から簡単に出し入れ可能な樹脂蓋付きコード穴を取り付けた配線収納庫付き配置換え可能テレビ台に関する。
【背景技術】
【０００２】従来のテレビ台は設置するテレビの大きさによって、形状や構造が異なり、且つ、部品点数及び金具類が多くて、組み立て方法が解り難く、又、部屋への配置、組み立てに必要な工具も複数の種類が必要に成り、配置、組み立て工数が多く、配置、組み立て時間も予想以上に掛かり、特に女性やお年寄りには容易に配置、組み立てることが難しかった。【０００３】そこで、上記の問題を解決するべく、配置、組み立て時の部品点数及び工数を減少し、且つ、誰もが容易に組立・分解が出来、且つ、梱包容積が嵩張らず経済的であり、且つ、美観的にも高級感が有り、部屋の角部でも設置可能で、且つ、安全性、作業性、経済性に優れた簡易組立式テレビ台の早期開発が求められている。これまでにテレビ台に関する文献も紹介されている（特許文献１〜２参照）。【０００４】各家庭で使用されているテレビは、通常テレビ台に載置されて配設されている。テレビ台は棚板を有し、ここにＤＶＤデッキやゲーム機等を配することで、テレビに関連する機器を近接して収容することができるため、テレビ台は広く利用されている。一方でＤＶＤの普及に伴い、家庭内において映画を見るユーザが増加している。このようなユーザは、テレビ台にスピーカが付随したシアターラックをテレビ台として使用していることが提案されている（特許文献３参照）。【０００５】しかしながら、通常用いられているテレビ台は棚板がむき出しであるため、棚内に配された電気機器等が視認されてしまい、美観を損ねている。このことは、これらの機器の配線が露出して視認されてしまうことも相俟って美観を損ねている。また、塵埃等が棚板上に溜まってしまい、機器への影響が懸念され、そしてやはり美観が損なわれている。【０００６】塵埃の入り込みを防ぐため、テレビ台に扉を設けたものも数多く販売されている（特許文献４参照）。しかしながらこのような扉はリモコンにおける受光を妨げないように透明のガラス製のものが多く、結果的に棚内の機器や配線が視認されることから、美観の低減を防いでいるものではない。またこのような扉はテレビ台と一体となっているものが多く、扉を所望する際には最初から扉付きのテレビ台に限定して購入する必要がある。【０００７】テレビ受信機などを置くテレビ台は一般に、天板と，底板と，前記天板と底板とを連繋する２つの側板および裏板と，ヒンジ機構により両開き可能な前面扉と，前記底板の下面４箇所に取り付けたキャスター等を備えている。テレビ台に設置される電子機器間の接続は裏板に設けられた穴を通じてケーブル接続される（特許文献５参照）。【０００８】テレビ台に設置された複数電子機器間は配線機器を通じて接続配線するケーブル類によってコンセントに接続されているが、壁面のコンセント器具が限定で配置に苦慮するものであり、また裏面では配線が煩雑になって、機器の交換などで配線を探すのに苦慮する場合がある。このような点を考慮した前記配線機器類の配置における適切な構造にしたテレビ台は存在していない。
【先行技術文献】
【特許文献】
【０００９】
【特許文献１】特開平８−１７３２５７号公報
【特許文献２】特開２００１−２６８４７８号公報
【特許文献３】特開２００９−２５３３４４号公報
【特許文献４】特開２０１２−１８６７６７号公報
【特許文献５】特開２０００−３３３０９９号公報
【考案の概要】
【考案が解決しようとする課題】
【００１０】そこで、上記課題を解決する為に、この考案は誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れた簡易組立式テレビ台を開発・提供することにある。【００１１】従来技術を考慮したものであり、棚内への塵埃の入り込みを極力抑制し、且つ棚内の機器や配線が視認されることなく美感性を高め、さらに脱着操作が容易なテレビ台を提供することを目的とする。配線機器がテレビ台の棚の中でスペースを占有する事無く、またハブやルータといった配線機器に詳しくない人でも容易にテレビ台に設置された電子機器と配線機器の配線とコンセントを接続可能にして、配線類も整然と數納出来るようにして、これらの操作も前面からできるようにしたテレビ台を提供することを目的とする。
【課題を解決するための手段】
【００１２】テレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の２体と半分の幅の開き戸型収納副箱体の２体とから選ばれた３〜５体で、３〜５体の横寸法に合わせた長さの天板を前記箱体群の配列組み合わせた上部に置いた６種類の配列テレビ台であって、主と副の箱体は自由に配置を換えられるような状態で３〜５体を接合させており、前記主要二段棚式主箱体の下段を仕切って、前部に機器類と後部に配線群を正面から配線・収納の操作を可能な収納庫を構成させ、前記３〜５体の箱体の裏面の１〜３本の裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させている配線収納庫付き配置換え可能テレビ台である。【００１３】天板の寸法は、厚さ２０〜３０ｍｍ、奥行き幅４００〜５００ｍｍ、長さ１２００〜２４００ｍｍの範囲から選ばれたもので、１２００ｍｍ、１５００ｍｍ、１８００ｍｍ、２１００ｍｍ、２４００ｍｍの５種類が好ましい。前記寸法の天板を上部に持つ、二段式棚式主箱体は、前記天板の中央部の位置に長さ５５０〜６００ｍｍ、奥行き４００〜５００ｍｍ、高さ３５０〜４５０ｍｍの箱状体にして、二段棚式主箱体は引き出し式で棚で二段に仕切られており、前面に部分に透明性前板を持ち、上段部には高さ１００〜２５０ｍｍで前後を見透しできる空洞状棚板で、下段の引き出しにテレビ関係機器と、ビデオ機器を収納できるようにし、下段部には高さ１５０〜２５０ｍｍで内部前側に関係機器を収納でき、後側位置には幅６０〜１００ｍｍで仕切って配線を正面から操作と整理できる収納庫に構成させて、各種副箱体を種々対称的に５種類の配列にしている。【００１４】前記収納庫は、二段棚式主箱体の下段部の後部に位置して、寸法及び容積として、縦幅６０〜１００ｍｍ、高さ１５０〜２５０ｍｍ、横幅３００〜６００ｍｍ、内容積２〜２０Ｌにして、二段棚式主箱体の引き出し部と棚部を取り出して、前面から電源基となるコンセントプラグとテレビ、およびビデオ機器における余分の配線コードを整理して収納できるようになって、テレビ、ビテオ機器との接続している配線コードは、裏面での３０〜４０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板になっている。【００１５】各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、中心的機能を示す電子機器を収納できる二段棚式主箱体と、前記二段棚式主箱体と同寸法の引き出し型収納副箱体とには上面の４隅に３〜１０ｍｍ径、深さ３〜１０ｍｍの穴部を、前記二段棚式主箱体と幅で１／２の寸法の開き戸型収納副箱体とには上面の２隅に３〜１０ｍｍ径、深さ３〜１０ｍｍの穴部を設けて、天板の裏面に二段棚式主箱体と引き出し型収納副箱体と開き戸型収納副箱体の設置位置と同様な穴部と同一に３〜１０ｍｍ径、深さ３〜１０ｍｍの穴部を取り付けて、天板と各箱体を接合させている。
【考案の効果】
【００１６】この考案の効果として、配線、接続部品を格納する収納庫を持ち、前面から配線、コンセントを配線して、気にせずに操作できる、テレビ台の設置が簡易であって、天板の下の箱体を適切に設置すれば、予め組立可能な部品を組み立て、誰もが簡単、容易に短時間で組み立て、電気関係の配線を簡単に操作して取り付けることが可能で、配線が表に出ずに、美観的にも高級感もあり、且つ、部屋の角部に適合する外観形状、及び、所定のテレビサイズに適合する大きさの品揃えを完備し、安全性・組立機能性・経済性等に優れる等、極めて有益なる効果を奏するものである。さらに部屋の種々の場所でテレビ台の隙間を無くして、埃、ごみの堆積が無くなり、掃除も容易になった。【００１７】  本考案によれば、天板付き二段棚式主箱体のテレビ台本体により、両サイドに副箱体を左右選択的に配置して、各箱体には扉を設けて、棚内への塵埃の入り込みを極力抑制し、且つテレビ台の棚内の機器や配線が視認されることなく美感性を高めることができる。また、手前側テレビ台の上部にはテレビが配されているので、テレビ台の前面からコンセントへの配線を容易に格納庫内に入れ込んで装着することができる。このため、前面から配線、機器の脱着操作が容易となり、作業性が向上する。
【図面の簡単な説明】
【００１８】
【図１】この考案の一実施例を示し、配線簡易接続可能テレビ台の斜視図である。Ａ：前面  Ｂ：裏面
【図２】二段棚式主箱体における前面、裏面、収納庫の状態を示す斜視図である。Ａ：前面  Ｂ：裏面  Ｃ：配線操作可能状態
【図３】配線収納庫付き配置換え可能テレビ台での２種類の各副箱体の斜視図である。Ａ：引き出し付き箱体  Ｂ：開き戸付き箱体
【図４】箱体群の配列組み合わせた上部に天板置いた６種類の配列テレビ台図である。Ａ：３箱体連携  Ｂ：４箱体連携  Ｃ：５箱体連携
【図５】配線収納庫付き配置換え可能テレビ台の各箱体の組み立てのダボ配置図である。Ａ：箱体の上部  Ｂ：天板の裏面
【図６】配線収納庫付き配置換え可能テレビ台における代表製品（テレビ、機器）で配置している状態図  Ａ：配置状態図  Ｂ：取り付け状態
【考案を実施するための形態】
【００１９】    この考案を実施するための形態として、誰もが簡単、且つ、容易に組み立て可能に設けたテレビ台である。複数の電子機器を収納、及びテレビ類を設置することができる配線接続可能テレビ台において、テレビ類を設置できる天板の下部に，四区分のボックス型箱体を設けて、中心部に電子機器を収納できる二段棚式主箱体と、両サイドにそれぞれ関連、部品を収納できる棚板を持つ副箱体とで構成されて、一体になった一枚天板の中心部に二段棚式主箱体を取り付け、前主箱体の両サイドに前記副箱体の二体を接触的に嵌め込み、箱体はそれぞれ交換ができるようになり、一方の副箱体は周囲の裏板と両側板を存在していなく、中心位置に柱様固定板を縦に取り付け、前記固定板の上下に天板と底板を配置して、前面には内開きの配線簡易接続可能テレビ台である。
【実施例１】
【００２０】図１に示すようにテレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の２体と半分の幅の開き戸型収納副箱体の２体とから選ばれた５体で、５体の横寸法に合わせた長さの天板を前記箱体群の配列組み合わせた上部に置いた５種類の箱体を配列したテレビ台であって、主と副の箱体は自由に配置を換えられるような状態で５体を接合させており、前記主要二段棚式主箱体の下段を仕切って、前部に機器類と後部に配線群を正面から配線・収納の操作を可能な収納庫を構成させ、前記５体の箱体の裏面の各裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させている配線収納庫付き配置換え可能テレビ台であった。【００２１】天板の寸法は、厚さ２０ｍｍ、奥行き幅４５５ｍｍ、長さ２４００ｍｍので、天板を上部に持つ、図２に示すように二段式棚式主箱体は、前記天板の中央部の位置に長さ６００ｍｍ、奥行き４５５ｍｍ、高さ４５０ｍｍの箱状体にして、二段棚式主箱体は引き出し式で棚で二段に仕切られており、前面に部分に透明性前板を持ち、上段部には高さ２００ｍｍで前後を見透しできる空洞状棚板で、下段の引き出しにテレビ関係機器と、ビデオ機器を収納できるようにし、下段部には高さ２５０ｍｍで内部前側に関係機器を収納でき、後側位置には幅１００ｍｍで仕切って配線を正面から操作と整理できる収納庫に構成させて、各種副箱体を種々対称的に３種類の配列にした。【００２２】前記収納庫は、二段棚式主箱体の下段部の後部に位置して、寸法及び容積として、縦幅１００ｍｍ、高さ２５０ｍｍ、横幅６００ｍｍ、内容積１５Ｌにして、二段棚式主箱体の引き出し部と棚部を取り出して、図６に示すように前面から電源基となるコンセントプラグとテレビ、およびビデオ機器における余分の配線コードを整理して収納できるようになって、テレビ、ビテオ機器との接続している配線コードは、裏面での３０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板で固定した。【００２３】図３に示すように各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、図５に示すように中心的機能を示す電子機器を収納できる二段棚式主箱体と、前記二段棚式主箱体と同寸法の引き出し型収納副箱体とには上面の４隅に５ｍｍ径、深さ５ｍｍの穴部を、前記二段棚式主箱体と幅で１／２の寸法の開き戸型収納副箱体とには上面の２隅に５ｍｍ径、深さ５ｍｍの穴部を設けて、天板の裏面に二段棚式主箱体と引き出し型収納副箱体と開き戸型収納副箱体の設置位置と同様な穴部と同一に５ｍｍ径、深さ５ｍｍの穴部を取り付けて、天板と各箱体を接合させた。図６Ａのようにテレビ台とした。
【実施例２】
【００２４】図４Ｂに示すように  テレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の１体と半分の幅の開き戸型収納副箱体の２体とから選ばれた４体で、４体の横寸法に合わせた長さの天板を前記箱体群の配列組み合わせた上部に置いた配列テレビ台であって、主と副の箱体は自由に配置を換えられるような状態で４体を接合させており、前記主要二段棚式主箱体の下段を仕切って、前部に機器類と後部に配線群を正面から配線・収納の操作を可能な収納庫を構成させ、前記４体の箱体の裏面の各裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させている配線収納庫付き配置換え可能テレビ台であった。【００２５】天板の寸法は、厚さ２０〜３０ｍｍ、奥行き幅４５５ｍｍ、長さ１８００ｍｍ、で、天板を上部に持つ、二段式棚式主箱体は、前記天板の中央部の位置に長さ６００ｍｍ、奥行き４５５ｍｍ、高さ４００ｍｍの箱状体にして、二段棚式主箱体は引き出し式で棚で二段に仕切られており、前面に部分に透明性前板を持ち、上段部には高さ２００ｍｍで前後を見透しできる空洞状棚板で、下段の引き出しにテレビ関係機器と、ビデオ機器を収納できるようにし、下段部には高さ２００ｍｍで内部前側に関係機器を収納でき、後側位置には幅８０ｍｍで仕切って配線を正面から操作と整理できる収納庫に構成させて、各種副箱体を種々対称的に３種類の配列にした。【００２６】前記収納庫は、二段棚式主箱体の下段部の後部に位置して、寸法及び容積として、縦幅８０ｍｍ、高さ３００ｍｍ、横幅６００ｍｍ、内容積１４Ｌにして、二段棚式主箱体の引き出し部と棚部を取り出して、前面から電源基となるコンセントプラグとテレビ、およびビデオ機器における余分の配線コードを整理して収納できるようになって、テレビ、ビテオ機器との接続している配線コードは、裏面での３０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板にした。【００２７】各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、中心的機能を示す電子機器を収納できる二段棚式主箱体と、前記二段棚式主箱体と同寸法の引き出し型収納副箱体とには上面の４隅に５ｍｍ径、深さ５ｍｍの穴部を、前記二段棚式主箱体と幅で���／２の寸法の開き戸型収納副箱体とには上面の２隅に５ｍｍ径、深さ５ｍｍの穴部を設けて、天板の裏面に二段棚式主箱体と引き出し型収納副箱体と開き戸型収納副箱体の設置位置と同様な穴部と同一に５ｍｍ径、深さ５ｍｍの穴部を取り付けて、天板と各箱体を接合した。図４Ｂのようになった。その上にテレビを置いた。
【実施例３】
【００２８】図４Ａに示すようにテレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の１体と半分の幅の開き戸型収納副箱体の１体とから選ばれた３体で、３体の横寸法に合わせた長さの天板を前記箱体群の配列組み合わせた上部に置いたの配列テレビ台であって、主と副の箱体は自由に配置を換えられるような状態で３体を接合させており、前記主要二段棚式主箱体の下段を仕切って、前部に機器類と後部に配線群を正面から配線・収納の操作を可能な収納庫を構成させ、前記３体の箱体の裏面の各裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させている配線収納庫付き配置換え可能テレビ台であった。【００２９】天板の寸法は、厚さ２０ｍｍ、奥行き幅４５５ｍｍ、長さ１５００ｍｍ、で、天板を上部に持つ、二段式棚式主箱体は、前記天板の中央部の位置に長さ６００ｍｍ、奥行き４５５ｍｍ、高さ４５０ｍｍの箱状体にして、二段棚式主箱体は引き出し式で棚で二段に仕切られており、前面に部分に透明性前板を持ち、上段部には高さ２００ｍｍで前後を見透しできる空洞状棚板で、下段の引き出しにテレビ関係機器と、ビデオ機器を収納できるようにし、下段部には高さ２５０ｍｍで内部前側に関係機器を収納でき、後側位置には幅６０〜１００ｍｍで仕切って配線を正面から操作と整理できる収納庫に構成させて、各種副箱体を種々対称的に５種類の配列にしている。【００３０】前記収納庫は、二段棚式主箱体の下段部の後部に位置して、寸法及び容積として、縦幅１００ｍｍ、高さ２００ｍｍ、横幅６００ｍｍ、内容積１５Ｌにして、二段棚式主箱体の引き出し部と棚部を取り出して、前面から電源基となるコンセントプラグとテレビ、およびビデオ機器における余分の配線コードを整理して収納できるようになって、テレビ、ビテオ機器との接続している配線コードは、裏面での３０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板になっている。【００３１】各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、中心的機能を示す電子機器を収納できる二段棚式主箱体と、実施例１と同様にした箱体を接合させた。図４Ａのようになった。
【産業上の利用可能性】
【００３２】  この考案の簡易組立式テレビ台は、誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れているため、製造・販売することで、多くの関係市場に寄与するため、産業上の利用可能性を有する。
【符号の説明】
【００３３】  Ｓ  配線簡易接続可能テレビ台
１  天板
２  二段棚式主箱体
３  引き出し型収納副箱体
４  開き戸型収納副箱体
５  収納庫
６  穴部
７  テレビ
８  配線
９  コンセント、プラグを持つコネクター
１０  電子機器
１１  引き出し部
１２  棚板部
１３  空洞部
１４  透明材料を有する扉
１５  コード穴付きパネル板
【図１】
0003225189.tif 000003
【図２】
0003225189.tif 000004
【図３】
0003225189.tif 000005
【図４】
0003225189.tif 000006
【図５】
0003225189.tif 000007
【図６】
0003225189.tif 000008
【手続補正書】
【提出日】令和1年11月19日(2019.11.19)
【手続補正１】
【補正対象書類名】実用新案登録請求の範囲
【補正対象項目名】全文
【補正方法】変更
【補正の内容】
【実用新案登録請求の範囲】
【請求項１】
テレビ、及び複数の電子機器を収納・設置できて、前記機器類に関連する配線コードを整然と収納できる収納庫を持つテレビ台において、テレビを設置できる天板の下部に，中心的機能を示す電子機器を収納できる二段棚式主箱体と、前記二段棚式主箱体と同寸法の引き出し型収納副箱体と、前記二段棚式主箱体と幅で１／２の寸法の開き戸型収納副箱体と天板とからなり、主要二段棚式主箱体の１体と引き出し型収納副箱体の２体と半分の幅の開き戸型収納副箱体の２体とから選ばれた３〜５体で、３〜５体の横寸法に合わせた長さの天板を前記箱体群の配列組み合わせた上部に置いた６種類の配列テレビ台であって、主と副の箱体は自由に配置を換えられるような状態で３〜５体を接合させており、前記主要二段棚式主箱体の下段を仕切って、前部に機器類と後部に配線群を正面から配線・収納の操作を可能な収納庫を構成させ、前記３〜５体の箱体の裏面の１〜３体の裏板に差し込みプラグを持つコネクター付き配線を出し入れ可能な樹脂蓋付きコード穴を設けて、各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させていることを特徴とする配線収納庫付き配置換え可能テレビ台。
【請求項２】
天板の寸法は、厚さ２０〜３０ｍｍ、奥行き幅４００〜５００ｍｍ、長さ１２００〜２４００ｍｍの範囲から選ばれたもので、天板を上部に持つ二段式棚式主箱体は、前記天板の中央部の位置に長さ５５０〜６００ｍｍ、奥行き４００〜５００ｍｍ、高さ３５０〜４５０ｍｍの箱状体にして、二段棚式主箱体は引き出し式の棚で二段に仕切られており、前面に部分的に透明性前板を持ち、上段部には高さ１００〜２５０ｍｍで前後を見透しできる空洞状棚板で、下段の引き出しにテレビ関係機器と、ビデオ機器を収納できるようにし、下段部には高さ１５０〜２５０ｍｍで内部前側に関係機器を収納でき、後側位置には幅６０〜１００ｍｍで仕切って配線を正面から操作と整理できる収納庫に構成させて、各種副箱体を種々対称的に５種類の配列にしていることを特徴とする請求項１に記載の配線収納庫付き配置換え可能テレビ台。
【請求項３】
前記収納庫は、二段棚式主箱体の下段部の後部に位置して、寸法及び容積として、縦幅６０〜１００ｍｍ、高さ１５０〜２５０ｍｍ、横幅３００〜６００ｍｍ、内容積２〜２０Ｌにして、二段棚式主箱体の引き出し部と棚部を取り出して、前面から電源基となるコンセントプラグとテレビ、およびビデオ機器における余分の配線コードを整理して収納できるようになって、テレビ、ビテオ機器との接続している配線コードは、裏面での３０〜４０ｍｍの直径の切込み入り樹脂蓋付きコード穴から出し入れして、各配線コードの余分な嵌め込み配線コード部とコンセントとを整理して収納庫内に格納でき、外部から埃，チリ、虫の侵入を少なくして、裏面ではコード穴付きパネル板になっていることを特徴とする請求項１、又は請求項２に記載の配線収納庫付き配置換え可能テレビ台。
【請求項４】
各副箱体それぞれに用具、並びに電子機器の関連、部品を収納できる引き出し、箱容器を持ち、各箱体間の連結可能な箱体にて構成されて、天板は箱体上を一体化した一枚天板で、その中心的な位置に二段棚式主箱体を設置させるにおいて、中心的機能を示す電子機器を収納できる二段棚式主箱体と、前記二段棚式主箱体と同寸法の引き出し型収納副箱体とには上面の４隅に３〜１０ｍｍ径、深さ３〜１０ｍｍの穴部を、前記二段棚式主箱体と幅で１／２の寸法の開き戸型収納副箱体とには上面の２隅に３〜１０ｍｍ径、深さ３〜１０ｍｍの穴部を設けて、天板の裏面に二段棚式主箱体と引き出し型収納副箱体と開き戸型収納副箱体の設置位置と同様な穴部と同一に３〜１０ｍｍ径、深さ３〜１０ｍｍの穴部を取り付けて、天板と各箱体を接合させていることを特徴とする請求項１〜請求項３のいずれかに記載の配線収納庫付き配置換え可能テレビ台。